(57)【要約】【課題】  電動式レフラクタに不慣れな検者であっても容易に電動レフラクターを操作できる。【解決手段】  被検眼の眼前に配置される光学素子と前記光学素子を電気的に切換える切換機構とを有する電動式検眼装置、に備わる前記光学素子の切換えを指示するための検眼装置用コントローラであって、前記コントローラは、前記電動式検眼装置本体を操作するための操作画面を表示可能なタッチパネルを有し、複数の操作部を備え、前記操作部に対する操作により眼前に配置される光学素子を切換える手動式検眼装置を、操作者側から見たときのグラフィック画像を前記操作画面として表示すると共に、前記タッチパネル上の前記グラフィック画像に対するタッチ入力に基づいて前記電動式検眼装置本体に制御信号を出力することを特徴とする。【選択図】      図５
2014007216.tif 000002
【特許請求の範囲】
【請求項１】
被検眼の眼前に配置される光学素子と前記光学素子を電気的に切換える切換機構とを有する電動式検眼装置、に備わる前記光学素子の切換えを指示するための検眼装置用コントローラであって、
前記コントローラは、
前記電動式検眼装置本体を操作するための操作画面を表示可能なタッチパネルを有し、
複数の操作部を備え、前記操作部に対する操作により眼前に配置される光学素子を切換える手動式検眼装置を、操作者側から見たときのグラフィック画像を前記操作画面として表示すると共に、
前記タッチパネル上の前記グラフィック画像に対するタッチ入力に基づいて前記電動式検眼装置本体に制御信号を出力することを特徴とする検眼装置用コントローラ。
【請求項２】
請求項１に記載の検眼装置用コントローラは、
レンズ室ユニットと前記レンズ室ユニットに設けられた複数の回転操作部とを備え眼前に配置される光学素子を前記複数の回転操作部に対する回転操作により機械的に切換えるマニュアル式レフラクタを、操作者側からみたときのグラフィック画像を前記操作画面として表示すると共に、
前記タッチパネル上の前記グラフィック画像に対するタッチ入力に基づいて前記検眼装置本体に制御信号を出力することを特徴とする検眼装置用コントローラ。
【請求項３】
前記コントローラは、前記操作画面において、レンズ室ユニット本体と、前記レンズ室ユニット本体に設けられた複数の回転操作部と、が少なくとも形成されたグラフィック画像を前記操作画面として表示することを特徴とする請求項２の検眼装置用コントローラ。
【請求項４】
前記グラフィック画像の前記複数の回転操作部は、前記検眼装置本体の前記光学素子の球面度数を変更するための球面ディスクと、前記球面ディスクより小さい表示サイズにて形成され、前記検眼装置本体の前記光学素子の乱視軸を変換するための乱視軸変換ノブ及び前記検眼装置本体の前記光学素子の乱視度数を変換するための乱視度数変換ノブを有し、
前記タッチパネル上の球面ディスク、乱視軸変換ノブ、乱視度数変換ノブに対するタッチ入力に基づいて前記光学素子の屈折力を変更するための制御信号を前記検眼装置本体に出力することを特徴とする請求項３の検眼装置用コントローラ。
【請求項５】
請求項２の検眼装置用コントローラは、前記操作画面において、さらに、レンズ室ユニット本体を移動させるための移動ユニットと、移動ユニットに設けられた瞳孔間距離調節ノブと、が形成されたグラフィック画像を前記操作画面として表示することを特徴とする検眼装置用コントローラ。
【請求項６】
請求項２の検眼装置用コントローラは、被検眼の眼前に配置された前記検眼装置本体の前記光学素子の光学特性を表示する表示領域を前記グラフィック画像上に形成したことを特徴とする検眼装置用コントローラ。
【請求項７】
前記表示領域は、前記グラフィック画像の前記回転操作部より外側に形成された目盛であって、前記グラフィック画像の前記回転操作部上には、基準マークが形成され、
前記コントローラは、前記グラフィック画像の前記回転操作部に対する操作に対応して前記グラフィック画像の前記回転操作部を前記目盛に対して移動するように表示する請求項６の検眼装置用コントローラ。
【請求項８】
請求項２の絵検眼装置用コントローラは、被検眼の自覚屈折力検査の手順が予め設定された検眼プログラムの手順に従って次の操作すべき前記グラフィック画像の回転操作部を他の回転操作部に対して強調表示する検眼装置用コントローラ。
【請求項９】
請求項２の絵検眼装置用コントローラは、前記検眼装置本体の前記光学素子の切り換わりを報知する報知手段を備える検眼装置用コントローラ。
【請求項１０】
前記報知手段は、前記コントローラに設けられた音声発生器又はバイブレータを用いて前記検眼装置本体の前記光学素子の切り換わりを報知することを特徴とする請求項９の検眼装置用コントローラ。
【請求項１１】
タッチパネルを有するコンピュータを、被検眼の眼前に配置される光学素子と前記光学素子を電気的に切り換える切換手段とを有する検眼装置本体の前記光学素子の切換を指示するための検眼装置用コントローラとして機能させるための検眼装置用プログラムを記憶する記憶媒体であって、
前記コンピュータを、
前記タッチパネルからのタッチ入力を検出するタッチ入力検出手段と、
前記検眼装置本体を操作するための操作画面を前記タッチパネル上に表示する表示制御手段であって、レンズ室ユニットと前記レンズ室ユニットに設けられた複数の回転操作部と備え眼前に配置される光学素子を前記複数の回転操作部に対する回転操作により機械的に切換えるマニュアル式レフラクタを、操作者側からみたときのグラフィック画像を前記操作画面として表示する表示制御手段と、
前記タッチパネル上の前記グラフィック画像に対するタッチ入力に基づいて前記検眼装置本体に制御信号を出力する出力手段と、
として機能させるための検眼装置用プログラムを記憶する記憶媒体。
【請求項１２】
請求項１の検眼装置用コントローラは、
仮枠レンズを人の手によって取替え可能なレンズ取付部を備えた仮枠本体を示す第１グラフィック画像と、トライアルレンズを示す第２グラフィック画像と、を前記操作画面として表示し、
前記タッチパネル上の前記第１グラフィック画像又は前記第２グラフィック画像の少なくともいずれかに対するタッチ入力に基づいて前記検眼装置本体に制御信号を出力する検眼装置用コントローラ。
【請求項１３】
請求項１２の検眼装置用コントローラは、前記操作画面に、被検眼の眼前に配置する前記光学素子を選択するための選択画面を表示し、前記選択画面に対するタッチ入力によって選択された光学素子を示す第３グラフィック画像を、前記第１グラフィック画像上に表示する検眼装置用コントローラ。
【請求項１４】
請求項１２の検眼装置用コントローラは、前記第１グラフィック画像が形成された方向に向けた前記第２グラフィック画像のドラッグ操作又はフリック操作に基づいて前記光学素子を変更するための制御信号を前記検眼装置本体に出力する検眼装置用コントローラ。
【請求項１５】
前記第２グラフィック画像には、前記光学素子の球面度数を変更するための球面トライアルレンズと、前記光学素子の乱視度数を変更するための乱視トライアルレンズと、が形成され、球面トライアルレンズ、乱視トライアルレンズに対するタッチ入力に基づいて前記光学素子の屈折力を変更するための制御信号を前記検眼装置本体に出力する請求項１２の検眼装置用コントローラ。
【請求項１６】
前記第１グラフィック画像上に形成された第３グラフィック画像に対する回転操作に基づいて前記光学素子の軸角度を変更するための制御信号を前記検眼装置本体に出力する請求項１３の検眼装置用コントローラ。
【請求項１７】
前記１グラフィック画像には、軸角度目盛が形成されており、
前記コントローラは、前記第１グラフィック画像上に形成された第３グラフィック画像に対する操作に対応して、前記第３グラフィック画像を前記軸角度目盛に対して回転表示する請求項１３の検眼装置用コントローラ。
【請求項１８】
請求項１２の検眼装置用コントローラは、前記第１グラフィック画像、第２グラフィック画像の少なくともいずれかに対するドラッグ操作又はフリック操作に基づいて前記検眼装置本体に制御信号を出力する検眼装置用コントローラ。
【請求項１９】
請求項１２の検眼装置用コントローラは、第１グラフィック画像として左右一対の丸枠部を少なくとも表示する検眼装置用コントローラ。
【請求項２０】
請求項１の検眼装置用コントローラは、
被検眼の眼前に配置するトライアルレンズを選択するための操作部、を有し、
前記光学素子を切り換えるために設定されたターゲット表示と、トライアルレンズを示すグラフィック画像と、を前記操作画面として表示すると共に、
前記ターゲット表示が形成された方向に向けた前記グラフィック画像の移動操作に基づいて、前記操作部によって予め選択されたトライアルレンズに対応する光学素子を被検眼に配置するための制御信号を前記検眼装置本体に出力することを特徴とする検眼装置用コントローラ。
【請求項２１】
タッチパネルを有するコンピュータを、被検眼の眼前に配置される光学素子と前記光学素子を電気的に切り換える切換手段とを有する検眼装置本体の前記光学素子の切換を指示するための検眼装置用コントローラとして機能させるための検眼装置用プログラムを記憶する記憶媒体であって、
前記コンピュータを、
前記タッチパネルからのタッチ入力を検出するタッチ入力検出手段と、
前記検眼装置本体を操作するための操作画面を前記タッチパネル上に表示する表示制御手段であって、仮枠レンズを人の手によって取替え可能なレンズ取付部を備えた仮枠本体を示す第１グラフィック画像と、トライアルレンズを示す第２グラフィック画像と、を前記操作画面として表示する表示制御手段と、
前記タッチパネル上の前記１グラフィック画像又は前記第２グラフィック画像の少なくともいずれかに対するタッチ入力に基づいて前記検眼装置本体に制御信号を出力する出力手段と、
として機能させるための検眼装置用プログラムを記憶する記憶媒体。
【請求項２２】
タッチパネルを有するコンピュータを、被検眼の眼前に配置される光学素子と前記光学素子を電気的に切り換える切換手段とを有する検眼装置本体の前記光学素子の切換を指示するための検眼装置用コントローラとして機能させるための検眼装置用プログラムを記憶する記憶媒体であって、
前記コンピュータを、
前記タッチパネルからのタッチ入力を検出するタッチ入力検出手段と、
前記検眼装置本体を操作するための操作画面を前記タッチパネル上に表示する表示制御手段であって、前記光学素子を切り換えるために設定されたターゲット表示と、トライアルレンズを示すグラフィック画像と、を前記操作画面として表示する表示制御手段と、
前記ターゲット表示が形成された方向に向けた前記グラフィック画像の移動操作に基づいて、複数のトライアルレンズの中から予め選択されたトライアルレンズに対応する光学素子を被検眼に配置するための制御信号を前記検眼装置本体に出力する出力手段と、
として機能させるための検眼装置用プログラムを記憶する記憶媒体。
【請求項２３】
請求項１〜２２のいずれか一項に記載の検眼装置用コントローラと、
被検眼の眼前に配置される光学素子と、前記光学素子を電気的に切り換える切換手段と、を有する検眼装置本体と、
を備え、被検眼を検査する検眼システム。
【発明の詳細な説明】
【技術分野】
【０００１】
本件発明は、検眼装置本体を操作するための検眼装置用コントローラ、これを備える検眼システム、さらに検眼装置用プログラムを記憶する記憶媒体に関する。
【背景技術】
【０００２】
検眼窓がそれぞれ配置された左右一対のレンズユニットを持ち、電動によりレンズディスクを回転する自覚式の検眼装置（いわゆる電動レフラクタ）が知られており、これらは、備え付けのコントローラによって操作される。このコントローラにレンズの度数などが検者によって入力されると、検眼装置本体に設けられたレンズ等が電動で切り換えられる（特許文献１参照）。従来のコントローラは、各種スイッチ（回転ノブ、プッシュボタン）が設けられたベースと、検眼装置に配置された光学特性を表示するためのディスプレイから構成されていた。【０００３】
一方、自覚式の検眼装置として、手動の検眼装置（いわゆるマニュアル式レフラクタ）が知られている。手動の検眼装置は、検眼装置のレンズ室ユニットに設けられた回転ノブ、ディスク等を検者が回転させることによって、検査窓に配置されるレンズが切り換えられる（特許文献２参照）。
【先行技術文献】
【特許文献】
【０００４】
【特許文献１】特開２０１１−０７２４３１号公報
【特許文献２】特開２０１１−０４５６７３号公報
【発明の概要】
【発明が解決しようとする課題】
【０００５】
ところで、マニュアル式レフラクタと従来の電動式レフラクタでは、装置の操作方法において大きく相違する。したがって、マニュアル式レフラクタに慣れていた検者が電動式レフラクタのコントローラを扱うことは容易ではなかった。すなわち、手動レフラクタを用いていた検者は操作に慣れるために多くの時間を必要とする。【０００６】
本発明は、上記従来技術の問題点に鑑み、電動式レフラクタに不慣れな検者であっても容易に電動レフラクタを操作できる検眼装置用コントローラ、検眼システム、検眼装置用プログラムを提供することを技術課題とする。
【課題を解決するための手段】
【０００７】
上記課題を解決するために、本発明は以下のような構成を備えることを特徴とする。【０００８】
（１）  被検眼の眼前に配置される光学素子と前記光学素子を電気的に切換える切換機構とを有する電動式検眼装置、に備わる前記光学素子の切換えを指示するための検眼装置用コントローラであって、前記コントローラは、前記電動式検眼装置本体を操作するための操作画面を表示可能なタッチパネルを有し、複数の操作部を備え、前記操作部に対する操作により眼前に配置される光学素子を切換える手動式検眼装置を、操作者側から見たときのグラフィック画像を前記操作画面として表示すると共に、前記タッチパネル上の前記グラフィック画像に対するタッチ入力に基づいて前記電動式検眼装置本体に制御信号を出力することを特徴とする。
（２）  タッチパネルを有するコンピュータを、被検眼の眼前に配置される光学素子と前記光学素子を電気的に切り換える切換手段とを有する検眼装置本体の前記光学素子の切換を指示するための検眼装置用コントローラとして機能させるための検眼装置用プログラムを記憶する記憶媒体であって、前記コンピュータを、前記タッチパネルからのタッチ入力を検出するタッチ入力検出手段と、前記検眼装置本体を操作するための操作画面を前記タッチパネル上に表示する表示制御手段であって、レンズ室ユニットと前記レンズ室ユニットに設けられた複数の回転操作部と備え眼前に配置される光学素子を前記複数の回転操作部に対する回転操作により機械的に切換えるマニュアル式レフラクタを、操作者側からみたときのグラフィック画像を前記操作画面として表示する表示制御手段と、前記タッチパネル上の前記グラフィック画像に対するタッチ入力に基づいて前記検眼装置本体に制御信号を出力する出力手段と、として機能させることを特徴とする。
（３）  被検眼を検査する検眼システムであって、（１）の検眼装置用コントローラと、被検眼の眼前に配置される光学素子と、前記光学素子を電気的に切り換える切換手段と、を有する検眼装置本体と、を備えることを特徴とする。
【発明の効果】
【０００９】
本発明によれば、電動式レフラクタに不慣れな検者であっても容易に電動レフラクタを操作できる。
【発明を実施するための形態】
【００１０】
＜第１実施形態＞
本発明の第１実施形態を図面を用いて以下に説明する。図１は本実施形態の検眼システム全体を示した概略図、図２は本実施形態の検眼装置を被検者側から見た外観概略図、図３は本実施形態の制御系ブロック図である。図４は本実施形態に係るレンズディスクの一例を示す図である。
【００１１】
＜検眼装置本体＞
検眼装置本体１は、左右対称な一対のレンズ室ユニット（検眼ユニット）６０と、この左右のレンズ室ユニット６０を吊下げ支持する移動ユニット６と、を備える。レンズ室ユニット６０内には、レンズディスク６４が回転可能に保持されている（図２参照）。レンズディスク６４には、多数の光学素子（球面レンズ、円柱レンズ、分散プリズム、等）が同一円周上に配置されている。レンズディスク６４が駆動部（アクチュエータ）５０によって回転制御されることにより、検者が所望する光学素子が検眼窓６１に配置される。また、検眼窓６１に配置された光学素子（例えば、円柱レンズ、クロスシリンダレンズ、ロータリープリズム等）が駆動部５１によって回転制御されることにより、検者が所望する回転角度にて光学素子が配置される。検眼窓６１に配置される光学素子の切換え等は、入力手段（操作手段）であるコントローラ９の操作によって行われる。レンズディスク６４を回転させるための駆動部５０は、駆動源を有し、駆動源としては、例えば、モータ、ソレノイド等が用いられるが、これに限定されない。また、駆動部５０の機構としては、周知の構成が用いられる。
【００１２】
レンズディスク６４は、１つのレンズディスク、又は図４に示すように複数のレンズディスクからなる。複数のレンズディスクが配置された場合、各レンズディスクに対応する駆動部５０ａ〜５０ｆがそれぞれ設けられる。例えば、レンズディスク群として、各レンズディスクが開口（又は０Ｄのレンズ）及び複数の光学素子を備える。各レンズディスクの種類としては、度数の異なる複数の球面レンズを有する球面レンズディスク、度数の異なる複数の円柱レンズを有する円柱レンズディスク、補助レンズディスクが代表的である。補助レンズディスクには、赤フィルタ／緑フィルタ、プリズム、クロスシリンダレンズ、偏光板、マドックスレンズ、オートクロスシリンダレンズの少なくともいずれかが配置される。また、円柱レンズは、駆動部５１ａにより光軸Ｌ１を中心に回転可能に配置され、ロータリプリズム及びクロスシリンダレンズは、駆動部５１ｂ，５１ｃにより光軸Ｌ１を中心に回転可能に配置される。なお、レンズディスク機構の詳しい構成については、例えば、特開２００７−６８５７４号公報、特開２０１１−７２４３１号公報を参考にされたい。
【００１３】
移動ユニット６は、左右のレンズ室ユニット６０の間隔を調整するスライド機構を有する駆動部５２（図３）を有し、被検者の瞳孔間距離に合わせて検眼窓６１の間隔を変える。また、移動ユニット６は、左右のレンズ室ユニット６０の輻輳角（打寄せ角）を調整する輻輳機構を有する駆動部５３を有する。移動ユニットの詳細な構成については、例えば、特開２００４−３２９３４５号公報を参考にされたい。
【００１４】
被検者の額と当接する額当て７０は、連結部７１によって移動ユニット６と連結されている。額当て７０は、被検者の頭部を保持し、被検眼の位置を所定の検査位置に固定する役割を持つ。
【００１５】
支柱３はテーブル１０に設けられ、支持アーム５は、支柱３に移動可能に取り付けられている。検眼装置本体１は、支持アーム５によってテーブル１０の上方に支持されている。スイッチ１１は支持アーム５を上下動させるための上下動スイッチであり、このスイッチ１１を用いることによって、図示無き駆動手段により支持アームの高さ位置を調節するとともに、検眼装置本体１の高さを調節することができる。
【００１６】
なお、検眼装置本体１は、上記構成に限定されるものではなく、被検眼の眼前に配置される光学素子を電気的に切換可能な構成であればよい。例えば、電気アクティブレンズの駆動により度数を切り換える構成であってもよい（特開２０１１−２０９７４９参照）。
【００１７】
＜視標呈示装置＞
視標呈示装置２０は、遠用検査視標を呈示する視標呈示部２１を備えている。視標呈示装置２０は、リレーユニット１２を介してコントローラ９と接続（好ましくは無線）されており、ディスプレイ３１に表示される視標の切換え等がコントローラ９の操作によって行われる。
【００１８】
視標呈示装置２０は、コントローラ９から入力される操作信号に応じて視標呈示部２１に検査視標を表示する。視標呈示装置２０は、検眼装置本体１と略同じ高さに位置されると共に、検査に適した距離だけ検眼装置本体１から離れるように設置される。本実施形態では、検眼装置本体１と視標呈示装置２０との間の距離（検査距離，設置距離）は、遠用検査に適した距離、例えば、５ｍとされている。視標呈示装置２０は、図示のディスプレイに限定されず、スクリーンに視標を投影するチャートプロジェクター、凹面ミラーを介して視標を投影する省スペース型視標投影装置などが用いられる。
【００１９】
ロッド２は移動ユニット６に取り付けられている。ロッド２には、検査視標が複数描かれている近用チャートを持つ近用視標呈示ユニット４が、その長手方向に移動可能に取り付けられている。図１、図２では、ロッド２は折りたたまれ、近用視標呈示ユニット４も上側に跳ね上げられた状態を示されている。近用検査時には、ロッド２は水平にされ、近用視標呈示ユニット４が、装置本体１から所定の位置に置かれる。この位置は、被検眼から所望の距離に調整できる。
【００２０】
＜コントローラ＞
コントローラ９は、検眼装置本体１、視標呈示装置２０の少なくともいずれかを操作するためのタブレット・コンピュータである。コントローラ９は、テーブル１０に固定されるものではなく、検者が任意に持ち運ぶことができる。コントローラ９は、タッチパネル機能を有する表示パネル３０を有し、表示パネル３０に対する検者の操作を検出する。コントローラ９は、検者の操作に基づいて検眼装置本体１、視標呈示装置２０に駆動信号を出力する。コントローラ９は、例えば、眼前に配置される光学素子の切換えを指示するために用いられる。
【００２１】
なお、タッチパネルの方式は、特に限定されない。例えば、静電式タッチパネル、感圧式タッチパネル、光学式タッチパネルのいずれかが用いられる。
【００２２】
図３に示すように、制御部２０４は、コントローラ９の実行主体として機能し、制御部２０４として、例えば、タブレット・コンピュータのＣＰＵが用いられる。制御部２０４は、検眼装置本体１、視標呈示装置２０を制御するためのプログラムに従って各種の処理を実行する。このようなプログラムは、例えば、タブレット・コンピュータに設けられた記憶部２１０等の記憶媒体に記憶される。記憶媒体は、例えば、ＣＤ−ＲＯＭまたはフラッシュメモリであってもよい。このような場合、例えば、制御部２０４は、接続されたＣＤ−ＲＯＭまたはフラッシュメモリに記憶されたプログラムを実行してもよい。
【００２３】
コントローラ９のタッチパネルは、検眼装置本体１を操作するための操作画面を表示可能なタッチパネルを有する。
【００２４】
コントローラ９は、手動式検眼装置に関するグラフィック画像１００を操作画面として表示すると共に、タッチパネル上のグラフィック画像１００に対するタッチ入力に基づいて検眼装置本体１に制御信号を出力する。
【００２５】
表示パネル３０には、手動式検眼装置に関するグラフィック画像１００が表示される（図５参照）。グラフィック画像１００は、手動式検眼装置を検者側から見たときの画像である。本実施形態において、グラフィック画像１００として表示される手動式検眼装置は、マニュアル式レフラクタである。マニュアル式レフラクタは、手動式レンズ室ユニットと、レンズ室ユニットに設けられた複数の回転操作部とを有し、回転操作部に対する回転操作により光学部材を機械的に切換えて被検眼に配置する装置を指す。回転操作部は、例えば、回転ノブ及び回転ディスクの少なくともいずれかであり、レンズ室ユニットの検者側前面・側面に配置されている。手動式レンズ室ユニットは、左右一対に配置された構成が一般的である。ここでの検者側とは、手動式検眼装置において複数の回転操作部が設けられている側のことであり、複数の回転操作部を操作する操作者側のことである。
【００２６】
グラフィック画像１００は、手動式検眼装置のレンズ室ユニットを模したグラフィック画像であってもよいし、手動式検眼装置のレンズ室ユニットの実写画像に基づくグラフィック画像であってもよい。
【００２７】
例えば、グラフィック画像１００の回転操作部が操作されると、その操作に応じて検眼装置本体１の駆動が制御される。コントローラ９には画面方向検知手段である不図示の角度センサが配置され、コントローラ９の方向によって、表示パネル３０上の表示画像は正常な向きに自動で切換わる。表示パネル３０の表示画面は、回転に伴い表示状態が正常になるように（回転に伴い画像情報が横転または逆さまにならないように）上下左右が正しい状態で提示される。これは、角度センサからの検知信号によって制御部２０４がモニタの方向を検知し、その信号に基づいて、制御部２０４は、表示パネル３０上の画像情報の表示制御を行う。また同時に制御部２００は、タッチパネルのボタンの位置座標も回転させ、表示パネル３０の回転前と回転後のタッチパネルのボタンの見た目上の場所を一致させる。
【００２８】
＜リレーユニット＞
リレーユニット１２は、検眼装置本体１の電源、コントローラ９からの検眼装置本体１と視標呈示装置２０に対する通信を制御するユニットである。リレーユニット１２は、コントローラ９、検眼装置本体１、視標呈示装置２０と接続されている。接続は、無線又は有線にて行われる。リレーユニット１２は、ＣＰＵ等からなる制御部２００を備え、コントローラ９の制御指令を受け、検眼装置本体１、視標呈示装置２０を制御する。
【００２９】
なお、リレーユニット１２とコントローラ９との間の信号のやりとりは、無線通信にて行われることが好ましい。通信方式としては、例えば、Ｗｉ−Ｆｉ（登録商標Ｗｉ−Ｆｉ）、Ｂｌｕｅｔｏｏｔｈ（登録商標Ｂｌｕｅｔｏｏｔｈ）等が考えられるが、これに限定されず、種々の方式が採用されうる。なお、リレーユニット１２は、必ずしも必須の構成ではなく、コントローラ９からの制御指令を検眼装置本体１、視標呈示装置２０が受信する構成であってもよい。
【００３０】
図６は、タッチパネルでの操作によりレンズ室ユニットの駆動部５０、５１を駆動させる制御の例を説明するフローチャートである。
【００３１】
タッチパネル式表示パネル３０には二次元の座標軸（ｘ軸およびｙ軸）が予めプログラムにより設定されている。異なる座標（ｘ，ｙ）からは異なる信号が送信されるので、表示パネル３０上で指定された位置（指定ポイント）が制御部２０４により認識される。
【００３２】
また、記憶部２１０には、単位座標当たりで駆動部５０、５１の駆動量が予め記憶されている。制御部２０４は、指定ポイントがドラッグされたときの単位時間当たりのｘ軸成分及びｙ軸成分の差からレンズ室ユニット６０の各部位での移動量（例えば、レンズディスクの回転量、円柱レンズ、ロータリプリズム、及びクロスシリンダレンズの回転量）を求め、各駆動部５０、５１の駆動量を算出する。
【００３３】
装置が起動されると、制御部２０４は、常時または所定の時間間隔で表示パネル３０から送信される信号を読込み（ステップ３０１）、表示パネル３０からの信号が有るかを解析する（ステップ３０２）。表示パネル３０が押されていない状態では表示パネル３０からの信号は検出されないので、ステップ３０１に戻り、制御部２０４は電圧信号の受信を繰り返し行う。
【００３４】
表示パネル３０が押されると、制御部２０４は表示パネル３０から送信されてきた信号に基づき指定ポイントの座標（位置）を認識する（ステップ３０３）。表示パネル３０が押されている状態が継続している間は、表示パネル３０からの信号が継続して送信される。制御部２０４は単位時間毎に受信した信号に基づいて検出した座標を比較して、表示パネル３０上で指定ポイントの移動があるかを判定する（ステップ３０４）。
【００３５】
次に、制御部２０４は、指定ポイントがドラッグされたときの移動量及び移動方向を求める（ステップ３０５）。そして、制御部２０４は、求めた移動量及び移動方向に従ってレンズ室ユニット６０の各部位を移動させる信号を各駆動部５０、５１に送信する（ステップ３０６）。
【００３６】
ステップ３０６が完了するとステップ３０１に戻る。そして、その後の検出時間（ｔ２、ｔ３、・・）毎に検出された指定ポイントの座標の変化から移動量あるいは回転量及び移動方向の算出を繰り返し行う。
【００３７】
表示パネル３０の指定ポイントの押圧が解除され、表示パネル３０からの信号が受信されなくなると、制御部２０４は指定ポイントから指が離されたと認識する（ステップ３０２）。そして、表示パネル３０から送信された信号のうち、最後に検出した座標を最終的な位置として記憶部２１０に記憶する（ステップ３１０）。ここでは、指定ポイントＰ２の座標（例えば、時間ｔ１００で検出された座標（ｘ１００、ｙ１００））記憶部２１０に記憶される。
【００３８】
次に、制御部２０４は、最後に記憶した座標と前の信号から検出した座標とから、移動方向と移動量を算出する（ステップ３１１）。このとき、制御部２０４は、各駆動部５０、５１の駆動量の残量をチェックする。各駆動部５０、５１の駆動量の残量が残っている場合は、残量にステップ３１１で算出された移動量を加えた新たな駆動信号を各駆動部へ送信する（ステップ３１３、３１４）。
【００３９】
制御部２０４は各駆動部５０、５１の駆動量に残量があるかのモニタを行い、残量がある場合は各駆動部の駆動を継続させる（ステップ３１５，３１６）。駆動量の残量が０になると、各駆動部の駆動を停止させる（ステップ３１７）。ステップ３１０〜３１７の信号処理によって、制御部２０４は表示パネル３０上のドラッグの速度が速すぎた場合にも、最終的に指定ポイントがドラッグされた位置まで追従してレンズ室ユニット６０の各部位を移動および回転させることができる。
【００４０】
以上のようにすることで、表示パネル３０に表示された手動式検眼装置のドラックによる移動と連動して検眼装置本体１が駆動されるので、検者は直感的な操作により、検査することができるようになる。
【００４１】
なお、例えば、コントローラ９は、グラフィック画像１００の回転操作部（例えば、球面ディスク１２０）に対する操作に対応してグラフィック画像１００上の回転操作部を回転表示させる（図５、図１０参照）。
【００４２】
例えば、コントローラ９は、被検眼の眼前に配置された検眼装置本体１の光学素子の光学特性を表示する表示領域（例えば、円柱レンズ目盛１２２ｂ、情報表示部１２５、等）をグラフィック画像１００上に形成する（図５参照）。
【００４３】
例えば、表示領域は、グラフィック画像１００の回転操作部（例えば、乱視軸変換ノブ１２２）より外側に形成された目盛（例えば、円柱レンズ目盛１２２ｂ）であって、グラフィック画像１００の回転操作部（例えば、乱視軸変換ノブ１２２）上には、基準マーク（例えば、基準マークＳＴ）が形成される（図５参照）。コントローラ９は、グラフィック画像１００の回転操作部（例えば、乱視軸変換ノブ１２２）に対する操作に対応してグラフィック画像１００の回転操作部を目盛（例えば、円柱レンズ目盛１２２ｂ）に対して移動するように表示する。
【００４４】
図５は本実施形態における表示パネル３０の表示画面の一例を示す図である。本実施形態では、グラフィック画像１００のレイアウトに関し、手動式検眼装置と同様の操作感を出すため、レンズ室ユニット１００ａが左右一対に表示されている。また、移動ユニット１００ｂがレンズ室ユニット１００ａの上に表示されている。移動ユニット１００ｂは、手動検眼装置において左右のレンズ室ユニットを移動させるための構成に相当する。
【００４５】
レンズ室ユニット１００ａのレイアウトについて、画面右側のレンズ室ユニット１００（左眼用レンズ室ユニットに相当）を例にとって説明する。ディスク状の球面ディスク１２０は、その左側半分がレンズ室ユニット本体１０２によって覆われてように表示されている。ディスク状の球面ディスク１２０は、その右半分が外側に露出しているように表示されている。球面度数表示部１２０ａは、球面ディスク１２０の中央に表示されている。レンズ室ユニット本体１０２上の左側には、検眼窓１０１が表示されている。検眼窓１０１の右下に乱視軸変換ノブ１２２及び乱視度数変換ノブ１２４が表示されている。乱視度数変換ノブ１２４と乱視軸変換ノブ１２２は同心円上に配置され、乱視度数変換ノブ１２４が内側、乱視軸変換ノブ１２２が外側に形成されている。乱視度数変換ノブ１２４と乱視軸変換ノブ１２２の近傍には、乱視度数表示部１２４ａが形成されている。検眼窓１０１の右上には、ターレット１３２に表示されている。ターレット１３２には、クロスシリンダーユニット１２８、ロータリプリズムユニット１４０が形成されている。さらに、ターレット１３２の右上には、補助レンズノブ１１６が表示されている。補助レンズノブ１１６は、球面度早送りダイヤル１２１と同心円状に配置され、補助レンズノブ１１６が内側、球面度早送りダイヤル１２１が外側に配置されている。
【００４６】
画面左側のレンズ室ユニット１００（右眼用レンズ室ユニットに相当）については、画面右側のレンズ室ユニット１００と左右対称であるため、説明を省略する。
【００４７】
なお、レンズ室ユニット１００ａのレイアウトは、上記の表示形態に限定されず、必要な検査目的に応じて設定される。例えば、球面ディスク１２０、検眼窓１０１、乱視軸変換ノブ１２２及び乱視度数変換ノブ１２４が少なくとも表示されたレイアウトであれば、被検眼の球面度数、乱視度数を測定できる。このようなレイアウトにおいても、用途に応じてクロスシリンダーユニット１２８、ロータリプリズムユニット１４０、補助レンズノブ１１６等が追加的に表示される構成であってもよい。
【００４８】
移動ユニット１００ｂのレイアウトについて説明する。移動ユニット１００ｂの左右両端には、ＰＤ（瞳孔間距離）調節ノブ１０５が表示されている。右眼ＰＤ表示部１０４Ｒ、ＰＤ表示部１０４Ｌは、各調節ノブ１０５の近傍にそれぞれ表示されている。両眼ＰＤ表示部１０４は、移動ユニット１００ｂの中央に表示されている。近用／遠用切換えボタン１３７は、移動ユニット１００ｂの中央に表示されている。額当てランプ１１２は、左右のレンズ室ユニット１００ａの間のスペースに表示されている。
【００４９】
情報表示部１２５は、画面の周辺部（例えば、下）に表示され、検眼装置本体１において被検眼の眼前に配置された光学素子の光学特性（例えば、レンズ度数、プリズム値）を表示する。視標チャート選択ボタン１２７は、画面の周辺部（例えば、右下）に表示され、視標呈示装置２０によって呈示される視標を選択するために用いられる。
【００５０】
グラフィック画像１００を用いた場合のコントローラ９の操作方法について説明する。表示パネル３０では、検眼装置本体１の各駆動部５０〜５３を駆動させるための信号が、検者の指（タッチペンでもよい）のタッチにより入力される。グラフィック画像１００には、検眼装置本体１を駆動させるための複数の操作部（回転操作部）が形成されている。球面ディスク１２０、球面度早送りダイヤル１２１、乱視軸変換ノブ１２２、乱視度数変換ノブ１２４、ターレット１３２、クロスシリンダーユニット１２８、ロータリプリズムユニット１４０、補助レンズノブ１１６、ＰＤ（瞳孔間距離）調節ノブ１０５はそれぞれ、グラフィック画像１００上における操作部として用いられる。
【００５１】
グラフィック画像１００上の回転操作部の少なくとも一つが検者によってドラッグされると、ドラッグされた操作部に対応する駆動信号が検眼装置本体１へ出力される。駆動信号としては、例えば、検眼装置本体１の少なくとも１つの装置構成に関する移動方向、移動量に関する駆動情報が含まれる。検眼装置本体１は、コントローラ９からの信号に応じて駆動部（５０〜５３）を駆動させる。
【００５２】
ここで、制御部２０４は、グラフィック画像１００上に表示された複数の操作部の中から、タッチパネル上でタッチされた座標位置に応じて１つの操作部を特定する。そして、制御部２０４は、特定された操作部に対する操作方向を判定すると共に、操作の軌跡に基づいて操作部の操作量を検出する。制御部２０４は、特定された操作部における操作方向及び操作量に対応する駆動信号を検眼装置本体１に向けて送信する。
【００５３】
このとき、コントローラ９から、リレーユニット１２を介して検眼装置本体１の制御部２０２に駆動信号が送られる。制御部２０２は、複数の駆動部５０〜５３において、コントローラ９からの駆動信号に対応する駆動部を特定する。制御部２０２は、特定された駆動部を、コントローラ９での操作方向及び操作量に対応する駆動方向及び駆動量にて制御する。
【００５４】
例えば、指でタッチされた指定ポイントの移動量（ドラッグ量）によってレンズ室ユニット６０の各部位の移動量が求められる。そして、指でタッチされた指定ポイントの移動速度（ドラッグ速度）に応じてレンズ室ユニット６０の各部位の移動速度が決定される。検者は、グラフィック画像１００上における操作部が速く回るように指定ポイントを速く移動させる。この場合、操作された操作部に対応する検眼装置本体１の装置構成が早く移動される。
【００５５】
なお、コントローラ９でのグラフィック画像１００に対する操作方向及び操作量に応じて検眼装置本体１の駆動部５０、５１が直接的に駆動される必要は必ずしもない。例えば、コントローラ９の制御部２０４は、コントローラ９での操作方向及び操作量に応じてレンズ室ユニット６０の検眼窓６２に配置すべき光学素子を決定し、決定された光学素子を検眼窓６２に配置するための駆動信号を検眼装置本体１に送信するようにしてもよい。検眼装置本体１の制御部２０２は、その駆動信号に基づいて、決定された光学素子が検眼窓６２に配置されるように駆動部５０、５１を制御する。なお、コントローラ９からの操作信号に応じた駆動部５２、５３の駆動についても同様の設定が可能である。
【００５６】
以下に、各操作部に対応する動作について説明する。図７（ａ）はＰ．Ｄ調節ノブ１０５を操作する前のコントローラ９の様子である。矢印の方向にＰＤ調節ノブ１０５を回転操作すると、図７（ｂ）に示すように、レンズ室ユニット間の距離が小さくなる。図８（ａ）はターレット１３２を操作する前のコントローラ９の様子である。矢印の方向にターレット１３２を回転操作すると、図８（ｂ）に示すように、クロスシリンダー１３０が検眼窓１０１にセットさせる。図９（ａ）は補助レンズノブ１１６を操作する前のコントローラ９の様子である。矢印の方向に補助レンズノブ１１６回転操作し、目盛をオクルーダー「ＯＣ」に合わせると、図９（ｂ）に示すように、検眼窓１０１が遮蔽される。図１０（ａ）は球面ディスク１２０を操作する前のコントローラ９の様子である。矢印の方向に球面ディスク１２０を回転操作すると、図１０（ｂ）に示すように、情報表示部１２５の該当する数値が切換わる。図１１（ａ）は乱視度数変換ノブ１２４を操作する前のコントローラ９の様子である。矢印の方向に乱視度数変換ノブ１２４を回転操作すると、図１１（ｂ）に示すように、情報表示部１２５の該当する数値が切換わる。
【００５７】
図２、図３、図５を中心に説明する。具体的には、ＰＤ調節ノブ１０５に指が触れて上下に操作されると、Ｐ．Ｄ．調節ノブ１０５が上下方向に回転し、左右のレンズ室ユニット１００ａの距離が調節される。コントローラ９は、ＰＤ調節ノブ１０５に対する操作方向及び操作量を読み取り、制御部２０２に駆動信号を送信する。制御部２０２は、駆動部５２を制御し、左右の検眼窓６１の距離を調節する。表示パネル３０上の右眼Ｐ．Ｄ．表示部１０４Ｒ、両眼Ｐ．Ｄ．表示部１０４、Ｐ．Ｄ．表示部１０４Ｌには、左右の検眼窓６１の距離が表示される。制御部２０４は、左右の検眼窓６１の距離が変更されると、変更された距離に対応する情報を表示する。
【００５８】
装置本体１の額当て７０に圧力が加わると、額当て７０に備わる圧力検知部２０３が圧力を検知し、検眼装置本体１の制御部２０２へ信号が送られる。制御部２０２からの指令信号がリレーユニット１２の制御部２００を介してコントローラ９の制御部２０４に送られる。制御部２０４は、圧力検知部２０３の検出結果に基づいてグラフィック画像１００上の額当てランプ１１２を制御する。例えば、被検者の額が額当て７０に適正に固定されているときにランプ１１２を消灯し、被検者の額が額当て７０に適正に固定されていないときにランプ１１２を点灯する。もちろん、被検者の額が額当て７０に適正に固定されているときにランプ１１２を点灯し、被検者の額が額当て７０に適正に固定されていないときにランプ１１２を消灯してもよい。
【００５９】
補助レンズノブ１１６に指が触れて、補助レンズノブ１１６の円周方向に回転されると、補助レンズノブ１１６は、操作方向に回転される。補助レンズノブ１１６は、補助レンズ目盛１１８に対して回転される。検者は、補助レンズノブ１１６に付された補助レンズ目盛１１８を参考にして、所望の補助レンズを選択する。コントローラ９は、補助レンズノブ１１６に対する操作方向及び操作量を読み取り、制御部２０２に駆動信号を送信する。制御部２０２は、駆動部５０を制御し、補助レンズ目盛１１８の表示に対応する補助レンズを検眼窓６１に配置する。
【００６０】
球面ディスク１２０に指が触れて、球面ディスク１２０の円周方向に回転されると、球面ディスク１２０は、操作方向に回転される。球面ディスク１２０が回転されると、球面度数表示部１２０ａ、情報表示部１２５での球面度数の表示が、操作方向及び操作量に応じて変更される。検者は、球面度数表示部１２０ａ、情報表示部１２５等を参考にして所望の球面レンズを検眼窓６１に配置する。コントローラ９は、球面ディスク１２０に対する操作方向及び操作量を読み取り、制御部２０２に駆動信号を送信する。制御部２０２は、駆動部５０を制御し、球面度数表示部１２０ａ（情報表示部１２５であってもよい）の表示に対応する球面レンズを検眼窓６１に配置する。上記操作により所定のステップ（例えば、０．２５Ｄステップ、０．５Ｄステップ）にて球面度数が変換される。
【００６１】
球面度早送りダイヤル１２１に指が触れて、球面度早送りダイヤル１２１の円周方向に回転されると、球面度早送りダイヤル１２１は、操作方向に回転される。球面度早送りダイヤル１２１が回転されると、球面度数表示部１２０ａ、情報表示部１２５での球面度数の表示が、操作方向及び操作量に応じて変更される。検者は、球面度数表示部１２０ａ、情報表示部１２５等を参考にして所望の球面レンズを検眼窓６１に配置する。コントローラ９は、球面度早送りダイヤル１２１に対する操作方向及び操作量を読み取り、制御部２０２に駆動信号を送信する。制御部２０２は、駆動部５０を制御し、球面度数表示部１２０ａ（情報表示部１２５であってもよい）の表示に対応する球面レンズを検眼窓６１に配置する。上記操作により球面ディスク１２０でのステップより大きいステップ（例えば、２．０Ｄステップ、３．０Ｄステップ）にて球面度数が変換される。
【００６２】
乱視軸変換ノブ１２２に指が触れて、乱視軸変換ノブ１２２の円周方向に回転されると、乱視軸変換ノブ１２２は、操作方向に回転される。乱視軸変換ノブ１２２は、円柱レンズ目盛１２２ｂに対して回転される。乱視軸変換ノブ１２２が回転されると、情報表示部１２５での乱視軸の表示が、操作方向及び操作量に応じて変更される。検者は、乱視軸変換ノブ１２２に付された円柱レンズ目盛１２２ｂ、情報表示部１２５等を参考にして円柱レンズの軸を調整する。コントローラ９は、乱視軸変換ノブ１２２に対する操作方向及び操作量を読み取り、制御部２０２に駆動信号を送信する。制御部２０２は、駆動部５１を制御し、検眼窓６１に配置された円柱レンズの乱視軸を調整する。
【００６３】
乱視度数変換ノブ１２４に指が触れて、乱視度数変換ノブ１２４の円周方向に回転されると、乱視度数変換ノブ１２４は、操作方向に回転される。乱視度数変換ノブ１２４が回転されると、乱視度数表示部１２４ａ、情報表示部１２５での乱視度数の表示が、操作方向及び操作量に応じて変更される。検者は、乱視度数表示部１２４ａ、情報表示部１２５等を参考にして所望の乱視レンズを検眼窓６１に配置する。コントローラ９は、乱視度数変換ノブ１２４に対する操作方向及び操作量を読み取り、制御部２０２に駆動信号を送信する。制御部２０２は、駆動部５０を制御し、乱視度数表示部１２４ａ、情報表示部１２５の表示に対応する乱視レンズを検眼窓６１に配置する。上記操作により所定のステップ（例えば、０．２５ステップ、０．５Ｄ）にて乱視度数が変換される。
【００６４】
ターレット１３２に指が触れ、回転軸１３２ｂを中心に回転されると、回転方向に応じて、クロスシリンダーユニット１２８、ロータリプリズムユニット１４０のいずれかが表示パネル３０上の検眼窓１０１に配置される。コントローラ９は、ターレット１３２に対する操作方向を読み取り、制御部２０２に駆動信号を送信する。制御部２０２は、駆動部５０を制御し、クロスシリンダレンズ又はロータリープリズムを検眼窓６１に配置する。
【００６５】
クロスシリンダーユニット１２８が検眼窓１０１にセットされた場合、クロスシリンダーユニット１２８に指が触れ、クロスシリンダーユニット１２８の円周方向に回転されると、クロスシリンダーユニット１２８は、操作方向に回転される。検者は、クロスシリンダーユニット１２８に付された目盛を参考にしてクロスシリンダー１３０の軸角度を調整できる。コントローラ９は、クロスシリンダーユニット１２８に対する操作方向及び操作量を読み取り、制御部２０２に駆動信号を送信する。制御部２０２は、駆動部５１を制御し、検眼窓６１に配置されたクロスシリンダーレンズの乱視軸を調整する。
【００６６】
また、クロスシリンダーノブ１３４に指が触れて操作されると、クロスシリンダー１３０が操作方向に反転して表示される。検者は、クロスシリンダーユニット１２８に付されたＰマーク１３６を参考に乱視軸を確認できる。コントローラ９は、クロスシリンダーノブ１３４によるクロスシリンダー１３０に対する反転操作を読み取り、制御部２０２に駆動信号を送信する。制御部２０２は、駆動部５１を制御し、クロスシリンダーレンズの乱視軸を反転させる。
【００６７】
ロータリプリズムユニット１４０が検眼窓１０１にセットされた場合、ロータリプリズムユニット１４０に指が触れて、ロータリプリズムユニット１２０の円周方向に回転されると、ロータリプリズムユニット１４０は、操作方向に回転される。ロータリプリズムユニット１４０は、ロータリプリズム目盛１４０ａに対して回転される。ロータリプリズムユニット１２０が回転されると、情報表示部１２５でのプリズム量の表示が、操作方向及び操作量に応じて変更される。検者は、ロータリプリズム目盛１４０ａ、情報表示部１２５等を参考にしてロータリプリズムのプリズム量を調整する。コントローラ９は、ロータリプリズムユニット１４０に対する操作方向及び操作量を読み取り、制御部２０２に駆動信号を送信する。制御部２０２は、駆動部５１を制御し、検眼窓６１に配置されたロータリプリズムのプリズム量を調整する。
【００６８】
検者が呈示する視標を切換えたいときは、視標チャート選択ボタン１２７から、画面上に形成された所望する視標のチャートボタンをタッチする。視標チャート選択ボタン１２７がタッチされると、制御部２０４が、どのスイッチがタッチされたのか検知する。
【００６９】
視標チャート選択ボタン１２７には各種視標が複数表示され、所望する視標に指が触れることによって視標が選択される。選択された視標は、表示パネル３０上において選択的に表示される（例えば、表示色が反転する）。コントローラ９は、選択された視標を被検者に呈示するための制御信号を制御部２０６に送信する。制御部２０６は、視標呈示部２１を制御し、選択された視標を被検者に呈示する。
【００７０】
上記のような構成によれば、検者は、手動式検眼装置と同様の動作間隔でコントローラを扱うことによって、電動式の検眼装置を操作できる。このため、手動式検眼装置に慣れていた検者であって、電動式検眼装置に不慣れな場合であっても、電動式検眼装置を容易に操作できる。
【００７１】
＜視力測定＞
コントローラ９を用いて視力測定を行う場合について具体的に説明する。図示なき他覚式眼屈折力測定装置により瞳孔間距離ＰＤが得られているとき、検者は、瞳孔間距離ＰＤを検眼装置本体１に入力する。
【００７２】
制御部２０２は、入力された瞳孔間距離ＰＤに対応する距離に調整されるように駆動部５２を制御し、検眼窓６１の間隔を調整する。瞳孔間距離ＰＤが得られていない場合あるいは設定された瞳孔間距離ＰＤを変更する場合は、検者は、ＰＤ調節ノブ１０５を操作し、左右の検眼窓６１の距離を調節する。
【００７３】
＜視力チェック＞
視力チェックの方法を説明する。まず、右眼の検査を行う。補助レンズノブ１１６を回転させ、補助レンズ目盛１１８を見ながら右眼をオープン「Ｏ」、左眼をオクルーダー「ＯＣ」にする。制御部２０２は、コントローラ９からの操作信号に基づいて駆動部５０を制御し、右側の検眼窓を開放し、左側の検眼窓を閉鎖する。
【００７４】
図示なき他覚式眼屈折力測定装置により他覚測定データ（球面度数Ｓ、乱視度数Ｃ、乱視軸角度Ａ）が得られているとき、検者は、他覚測定データを検眼装置本体１に入力する。制御部２０２は、入力された他覚測定データに対応する光学素子が配置されるように駆動部５０、駆動部５１を制御する。もちろんレンズメータでの前眼鏡データを用いるようにしてもよい。
【００７５】
一方、他覚測定データがない場合、裸眼視から想定する見込度数を球面ディスク１２０を回転させて加入する。次に、乱視軸度を乱視軸変換ノブ１２２と乱視度数変換ノブ１２４を回転させて加入する。
【００７６】
検眼窓６１に配置されるレンズの球面度数を変更するときは、球面ディスク１２０をタッチしながら円周方向に回転させ、球面度数表示部１２０ａと情報表示部１２５に所望する数値を表示させる。制御部２０２は、コントローラ９からの操作信号に基づいて、表示された数値に対応する球面度数のレンズが検眼窓６１に配置されるようにレンズディスク６４が回転する。なお、検者は、場合に応じて、球面度数早送りダイヤル１２１を用いるようにしてもよい。
【００７７】
検眼窓６１に配置されるレンズの乱視度数を変更するときは、乱視度数変換ノブ１２４をタッチしながら円周方向に回転させ、乱視度数表示部１２４ａと情報表示部１２５に所望する数値を表示させる。制御部２０２は、コントローラ９からの操作信号に基づいて、表示された数値に対応する乱視度数のレンズが検眼窓６１に配置されるようにレンズディスク６４が回転する。
【００７８】
検眼窓６１に配置される円柱レンズの乱視軸角度を変更するときは、乱視度数変換ノブ１２４をタッチしながら円周方向に回転させ、情報表示部１２５に所望する数値を表示させる。制御部２０２は、コントローラ９からの操作信号に基づいて、表示された数値に対応する乱視軸にて円柱レンズが配置されるようにレンズディスク６４が回転する。
【００７９】
＜レッドグリーンテスト＞
次に、視標チャートボタン１２６をタッチし、視標チャート選択ボタン１２７を表示させる。表示チャート１２６中の視力０．５の視標をタッチする。制御部２０６は、コントローラ９からの操作信号に基づいて、視力０．５の視標を被検眼に呈示する。視力０．５の視標が判読できれば、レッドグリーンテストに進む。
【００８０】
レッドグリーンテストの方法について説明する。まず、検者は、視標チャートボタン１２６をタッチし、視標チャート選択ボタン１２７を表示させる。視標チャート選択ボタン１２７中のレッドグリーンチャートをタッチする。制御部２０６は、コントローラ９からの操作信号に基づいて、レッドグリーンチャートを被検眼に呈示する。次に、検者は、球面ディスク１２０を回転させ、球面度数表示部１２１に表示された球面度数にプラス０．５を加える。制御部２０２は、コントローラ９からの操作信号に基づいて駆動部５０を制御し、プラス０．５の球面レンズを加える。
【００８１】
次に、検者は、赤地の輪と緑地の輪のどちらかが鮮明に見えるか確認し、球面度数を調節する。赤地の輪が鮮明に見えれば、球面ディスク１２０を回して−０．２５Ｄを加入し、緑地の輪が鮮明に見えれば、球面ディスク１２０を回して＋０．２５Ｄを加入する。上記手順を繰返し、赤地のチャートと緑地のチャートが同程度にはっきり見える状態で終了する。
【００８２】
＜乱視軸の測定＞
次に、乱視軸の測定方法を説明する。まず、視標チャートボタン１２６をタッチし、視標チャート選択ボタン１２７を表示させ、視標チャート選択ボタン１２７中の点群チャートをタッチする。制御部２０６は、コントローラ９からの操作信号に基づいて、点群チャートを被検眼に呈示する。次にターレット１３２を回転させてクロスシリンダー１３０を検眼窓１０１にセットする。制御部２０２は、コントローラ９からの操作信号に基づいて駆動部５０を制御し、検眼窓６１にクロスシリンダーをセットする。
【００８３】
次に、検者は、クロスシリンダーユニット１２８を回転させて、クロスシリンダー１３０の回転軸を乱視軸に合わせる。コントローラ９は、乱視軸変換ノブ１２２に示された乱視軸と、クロスシリンダー１３０の乱視軸が一致するとき、その旨の報知表示を行う（例えば、クロスシリンダ１３０が点滅したり、色が変わる）。制御部２０２は、コントローラ９からの操作信号に基づいて駆動部５１を制御し、クロスシリンダーは指定された回転軸で検眼窓６１に配置される。
【００８４】
検者は、クロスシリンダーノブ１３４を回してクロスシリンダー１３０を反転させると、制御部２０２は、コントローラ９からの操作信号に基づいて駆動部５１を制御し、クロスシリンダーの乱視軸を反転させる。
【００８５】
ここで、被検者の見え具合を確認する。クロスシリンダー１３０には、赤点１３０Ｒ、白点１３０Ｗが形成されている。検者は、鮮明に見える面の赤点１３０Ｒの方向に乱視軸変換ノブ１２２を回転させ、乱視軸角度を所定量（例えば、１５°）変換する。戻すときは、所定より少ないステップにて戻す。制御部２０２は、コントローラ９からの操作信号に基づいて駆動部５１を制御し、光学素子の乱視軸角度を調整する。検者は、クロスシリンダーを反転する前と後の見え方がほぼ同じになるまで繰り返す。
【００８６】
＜乱視度数の測定＞
次に乱視度数の測定方法を説明する。まず、視標チャートボタン１２６をタッチし、視標チャート選択ボタン１２７を表示させ、視標チャート選択ボタン１２７中の点群チャートをタッチする。制御部２０６は、コントローラ９からの操作信号に基づいて、点群チャートを被検眼に呈示する。次にターレット１３２を回転させてクロスシリンダー１３０を検眼窓１０１にセットする。制御部２０２は、コントローラ９からの操作信号に基づいて駆動部５０を制御し、検眼窓６１にクロスシリンダーをセットする。
次に、検者は、クロスシリンダーユニット１２８を回転させて、クロスシリンダーユニット１２８に付されたＰマーク１３６を乱視軸に合わせる。コントローラ９は、乱視軸変換ノブ１２２に示された乱視軸と、クロスシリンダー１３０の乱視軸が一致するとき、その旨の報知表示を行う（例えば、クロスシリンダ１３０が点滅したり、色が変わる）。制御部２０２は、コントローラ９からの操作信号に基づいて駆動部５１を制御し、クロスシリンダーは指定された回転軸で検眼窓６１に配置される。
【００８７】
次に、検者は、Ｐマーク１３６に赤点１３０Ｒがきたときの方がよく見える場合、乱視度数変換ノブ１２４を回して乱視度を所定度数（例えば、０．２５Ｄ）加入する。また、Ｐマーク１３６に白点１３０Ｗがきたときの方がよく見える場合、乱視度数変換ノブ１２４を回して乱視度を所定度数（例えば、０．２５Ｄ）減少する。検者は、クロスシリンダを反転する前と後の見え方がほぼ同じになるまで繰り返し、見え方が同じ程度になれば、乱視度が決定される。
【００８８】
＜球面調整２＞
次に、クロスシリンダを除去し、球面調整を行って最高視力が得られる最もプラスよりの球面度数（近視の場合では最高視力が得られる最弱度数）を測定する。ここで、検者は、前述のレッドグリーンテストを再び行い、赤字のチャートと緑地のチャートが同程度に見える状態か、赤色のチャートの方がややよく見える状態で終了する。
【００８９】
＜視力確認＞
次に、視力確認の方法を説明する。検者は、視力チャート選択ボタン１２７を用いて視標呈示部２１に視力表チャートを表示させ、視力を確認する。例えば、検者は、視力１．０程度から順に視力確認をして、最高視力を確認する。最高視力の視標を被検者に見せながら球面ディスク１２０を回転させ、球面度数を＋０．２５Ｄ加入する。制御部２０２は、コントローラ９からの操作信号に基づいて駆動部５０を制御し、球面レンズを０．２５Ｄ加える。視力低下が確認されたら戻す。もし変わらなければさらに同様に０．２５Ｄ加入する。最高視力の確認ができたら終了する。
【００９０】
検者は、補助レンズノブ１１６を回転させ、補助レンズ目盛を見ながら、右眼をオクルーダー「ＯＣ」、左眼をオープン「Ｏ」にして、前記と同様に左眼の検査を行う。
【００９１】
＜両眼バランステスト＞
次に、両眼バランステストの方法を説明する。まず、タッチパネル式表示パネル３０上の視標チャートボタン１２６をタッチし、視標チャート選択ボタン１２７を表示させる。表示されたチャートの中の両眼バランスチャートをタッチする。制御部２０６は、コントローラ９からの操作信号に基づいて、左右の両眼バランスチャートを被検眼に呈示する。
【００９２】
検者は、左右の補助レンズノブ１１６を回転させ、「Ｐ」偏光板に合わせる。制御部２０６は、コントローラ９からの操作信号に基づいて駆動部５０を制御し、左右の検眼窓６１にそれぞれ偏光板がセットされるようにレンズディスク６４を回転させる。
【００９３】
被検者は、右眼で上側、左眼で下側の文字が見える。被検者に確認し、もし見え方に差がある場合は、よく見えている方の球面ディスク１２０を回して球面度数を０．２５Ｄ加入する。制御部２０６は、コントローラ９からの操作信号に基づいて駆動部５０を制御し、左右の検眼窓６１に配置されるレンズを変更する。
【００９４】
＜立体視テスト＞
次に、立体視テストの方法を説明する。まず、検者は、タッチパネル式表示パネル３０上の視標チャートボタン１２６をタッチし、視標チャート選択ボタン１２７を表示させる。表示されたチャートの中の立体視チャートをタッチする。制御部２０６は、コントローラ９からの操作信号に基づいて、左右の立体視チャートを被検眼に呈示する。
【００９５】
検者は、左右の補助レンズノブ１１６を回転させ、「Ｐ」ポラロイド（偏光板）に合わせる。制御部２０６は、コントローラ９からの操作信号に基づいて駆動部５０を制御し、左右の検眼窓６１にそれぞれ偏光板がセットされるようにレンズディスク６４を回転する。この状態で、被検者に立体視が得られているか確認する。
【００９６】
＜近用測定＞
次に、近用測定の方法を説明する。まず、検者は、近用／遠用切換えボタン１３７をタッチする。制御部２０６は、コントローラ９からの操作信号に基づいて駆動部５３を制御し、左右のレンズ室ユニットの輻輳角を調節する。
【００９７】
次に、検者は、装置本体１の近点ロッドホルダー（不図示）にセットされているロッド２を前方に倒す。近用視標呈示ユニット４で十字表（クロスグリッド）を表示させる。被検者が５０歳前後以上であればあらかじめ、球面度数をプラス１．００Ｄ加入する。
【００９８】
つまり、検者は、球面ディスク１２０を回転させ、球面度数表示部１２０ａと近用視標呈示ユニットに所望の球面度数を表示させる。制御部２０６は、コントローラ９からの操作信号に基づいて駆動部５０を制御し、表示された数値をもつ球面レンズを検眼窓６１に配置する。次に、装置本体１の近点カード４２の位置を近用距離に合わせる。
【００９９】
検者は、補助レンズノブ１１６を回転させ、両眼に±０．５０のクロスシリンダーにダイヤルを合わせる。制御部２０６は、コントローラ９からの操作信号に基づいて駆動部５０を制御し、クロスシリンダーレンズを左右の検眼窓に配置する。検者は、十字表の縦、横線が同じ濃さになるまで球面ディスク１２０を回して＋０．２５Ｄずつ加える。
【０１００】
なお、以上の説明では、表示パネル３０上の回転操作部に対する回転操作によって検眼装置本体１を操作する構成としたが、これに限定されない。例えば、表示パネル３０上の回転操作部に対する直線的な操作（例えば、直線方向へのフリップ操作）によって検眼装置本体１が操作される構成であってもよい。また、表示パネル３０上のディスクや各種ノブがタッチされたとき、制御部２０４は、タッチされた操作部の付近に複数の数値を表示させる。そして、その数値がタッチされることで検眼窓６１に配置する光学素子が選択される。なお、タッチされた操作部の付近に複数の数値が表示された場合、数値がタッチされたまま指がスライドされたとき、数列に表示される数値が連続的に切換えられる構成であってもよい。
【０１０１】
また、以上の説明では左右の検眼窓の距離を調節する際、表示パネル３０のＰ．Ｄ．調節ノブ１０５を回転させて調節するものとしたが、これに限るものではない。左右のレンズ室ユニット１００ａをタッチしながら指を左右にスライドさせ、直接的に距離を調整可能としもてよい。
【０１０２】
また、各種数値の表示方法については、アナログ表示、デジタル表示、その他の表示方法に自由に設定でき、ひとつに限定されるものではない。
【０１０３】
また、片眼検査時には、表示パネル３０に検査側のレンズ室ユニット１０３のグラフィック画像を拡大表示し、詳細を表示するようにしてもよい。
【０１０４】
次に、図１２を用いてコントローラ９の変形例を説明する。図１２に示すコントローラ９Ａはタッチパネル式表示パネル３０Ａを備える。表示パネル３０Ａには手動式検眼装置のグラフィック画像１００Ａが表示される。グラフィック画像１００Ａには輻輳レバー１１５Ａが備わり、検者は輻輳レバー１１５Ａをタッチし、内側にスライドさせる。これにより、駆動部５３が駆動され、レンズ室ユニット１０３Ａの輻輳角が調節される。すなわち、コントローラ９は、輻輳レバー１１５Ａに対する操作方向及び操作量を読み取り、制御部２０２に駆動信号を送信する。制御部２０２は、駆動部５３を制御し、レンズ室ユニット１００ａの輻輳角を調整する。
【０１０５】
次に、図１３を用いて前記コントローラ９のさらなる変形例を説明する。図１３に示すコントローラ９Ｂは、タッチパネル式表示パネル３０Ｂを備える。表示パネル３０Ｂには手動式検眼装置のグラフィック画像１００Ｂが表示される。また、コントローラ９Ｂは左右の両端にダイヤル１５０Ｂを備える。ダイヤル１５０Ｂは手動式検眼装置の球面ディスクを模しており、ダイヤル１５０Ｂを回転させることによって、グラフィック画像１００の球面ディスク１２０を回転させるのと同様に、装置本体１のレンズディスク６４を制御できる。このような構成のコントローラ９Ｂを用いても、上述したコントローラ９の場合と同様な作用を発揮させることができる。また、ダイヤル１４０Ｂを用いることで、手動式検眼装置を操作する感覚で、レンズディスクを制御することができる。
【０１０６】
次に、図１４を用いてコントローラ９のさらに別の変形例を説明する。図１４に示すコントローラ９Ｃはタッチパネル式表示パネル３０Ｃを備える。表示パネル３０Ｃには手動式検眼装置のグラフィック画像１００Ｃが表示される。コントローラ９Ｃは、被検眼の自覚屈折力検査の手順が予め設定された検眼プログラムの手順に従って次の操作すべき回転操作部を他の回転操作部に対して強調表示する。検眼プログラムは、例えば、メモリ２１０に記憶される。
【０１０７】
すなわち、コントローラ９Ｃは、検査の際に操作が必要とされる、あるいは操作可能な操作部を強調して表示させ、検者が次に何を操作すべきか知らせる機能を備える。図１４の例では、乱視度数変換ノブ１２４Ｃを拡大させ、色を反転させることで強調して表示している。また、情報表示部１２５Ｃの該当箇所も色を反転させ分かりやすく表示している。これにより、操作の手順が誘導されるため、不慣れな検者であっても、検査を容易に行うことができる。
【０１０８】
次に、図１５を用いてコントローラ９のさらに別の変形例を説明する。図１５に示すコントローラ９Ｄはタッチパネル式表示パネル３０Ｄと不図示の画面方向検知手段とを備える。表示パネル３０Ｄには手動式検眼装置のグラフィック画像１００Ｄが表示される。また、コントローラ９Ｄは、画面方向が横長に保持されているのか、あるいは縦長に保持されているのかによって、画面表示を切換える機能を備える。例えば、画面方向が横長に保持されている場合は、図１５に示すように左右のレンズ室ユニットを表示する。画面方向が縦長に保持されている場合は、図１６（ａ）、（ｂ）に示すように、左右のどちらか一方のレンズ室ユニットを拡大し、より詳しい情報を表示する機能を備える。このとき、右側のレンズ室ユニット画像が表示されている場合は、表示パネル３０Ｄをタッチして指を右にスライドさせることで左側のレンズ室ユニットの画像が表示され、左側のレンズ室ユニット画像が表示されている場合は、表示パネル３０Ｄをタッチして指を左にスライドさせることで右側のレンズ室ユニットの画像が表示されるようにしてもよい。
【０１０９】
次に、コントローラのさらに別の変形例を説明する。本変形例のコントローラは、タッチパネル式表示パネルと操作に合わせてコントローラを振動させるための振動装置（バイブレータ）を備える。表示パネルには、手動式検眼装置のグラフィック画像が表示される。本変形例のコントローラではタッチパネル上でのグラフィック画像へのタッチパネルの操作中あるいは操作後に振動装置を振動させ、操作中あるいは操作後であることを検者に知らせる機能を備える。
【０１１０】
例えば、コントローラは、タッチパネル上の球面ディスク及び回転ノブが操作される毎に、検眼窓に配置される光学素子の切り換わりを示す振動を振動装置により発生させるようにしてもよい。
【０１１１】
次に、コントローラのさらに別の変形例を説明する。本変形例のコントローラは、タッチパネル式表示パネルと操作に合わせて音声を発生させるための音声発生器を備える。表示パネルには、手動式検眼装置のグラフィック画像が表示される。本変形例のコントローラではタッチパネル上でのグラフィック画像へのタッチパネルの操作中あるいは操作後に音声を発生させ、操作中あるいは操作後であることを検者に知らせる機能を備える。
【０１１２】
例えば、コントローラは、タッチパネル上の球面ディスク及び回転ノブが操作される毎に、検眼窓に配置される光学素子の切り換わりを示す切換音を音声発生器により発生させるようにしてもよい。
【０１１３】
上記のように検眼窓に配置される光学素子の切り換わりを示す報知手段を設けることにより、手動レフラクタの操作感により近いコントローラが構成される。
【０１１４】
また、上記説明において、制御部２０４は、グラフィック画像１００上の複数の操作部の中から１つの操作部が特定された場合、特定された操作部に対する操作が完了する（例えば、ドラッグ操作が完了する）まで、他の操作部の操作に基づく検眼装置本体１の操作を禁止するようにしてもよい。例えば、制御部２０４は、他の操作部からの操作信号を無効化し、他の操作部に基づく駆動信号を検眼装置本体１に送信しない。このようにすれば、検者の意図に反して、検眼装置本体１が動作してしまうのを回避できる。
【０１１５】
なお、以上の説明においては、マニュアル式レフラクタを、操作者側からみたときのグラフィック画像を操作画面として表示すると共に、タッチパネル上のグラフィック画像に対するタッチ入力に基づいて電動式レフラクタに制御信号を出力する構成としたが、これに限定されない。
【０１１６】
手動操作部が設けられた眼科装置を操作者側からみたときのグラフィック画像を操作画面として表示すると共に、タッチパネル上のグラフィック画像に対するタッチ入力に基づいて眼科装置に制御信号を出力する構成であればよい（例えば、視標呈示装置など）。
＜第２実施形態＞
以下、第２実施形態について説明する。なお、第２実施形態は、第１実施形態の検眼装置において、コントローラの表示画面が異なる。従って、コントローラを用いて検眼装置を操作するときの操作方法が異なる。コントローラ以外の構成は第１実施形態と同様のため、同様の構成については同一番号を用い、説明を省略する。
【０１１７】
図１７は本実施形態における表示パネル３０の表示画面の一例を示す図である。本実施形態では、グラフィック画像４００のレイアウトに関し、仮枠検査と同様の作業感を出すため、仮枠４００ａが表示されている。また、仮枠レンズ４００ｂが仮枠４００ａの左右に表示されている。仮枠レンズ４００ｂは、仮枠４００ａに取り付ける持ち手付検眼レンズに相当する。
【０１１８】
仮枠４００ａのレイアウトについて説明する。仮枠４００ａは、レンズ取付枠４００ａ１、乱視軸角度目盛４００ａ２、ブリッジ４００ａ３で構成される。ブリッジ４００ａ３は画面中央に表示され、左右のレンズ取付枠４００ａ１を連結するように表示される。レンズ取付枠４００ａ１の周囲には軸角度目盛４００ａ２が表示されている。また、ブリッジ４００ａ３の中央部には額当てランプ４００ａ４が表示されている。
【０１１９】
なお、仮枠４００ａのレイアウトは、上記の表示形態に限定されない。例えば、レンズ取付枠４００ａ１と乱視軸角度目盛４００ａ２とが少なくとも表示されたレイアウトであれば、仮枠眼鏡を想起させるグラフィックが形成される。このようなレイアウトにおいても、用途に応じて軸角度目盛等が追加的に表示される構成であってもよい。
【０１２０】
仮枠レンズ４００ｂのレイアウトについて説明する。仮枠レンズ４００ｂは、球面レンズ４００ｂ１、円柱レンズ４００ｂ２、補助レンズ４００ｂ３によって構成されている。仮枠レンズ４００ｂは仮枠４００ａの左右にそれぞれ表示され、上方に球面レンズ４００ｂ１，中央に円柱レンズ４００ｂ２、下方に補助レンズ４００ｂ３という配置で表示されている。これらのレンズの配置位置、配置関係はあくまで一例であって、これに限定されない。例えば、球面レンズ４００ｂ１、円柱レンズ４００ｂ２、補助レンズｂ３の配置順は、逆であってもよい。また、球面レンズ４００ｂ１、円柱レンズ４００ｂ２、補助レンズ４００ｂ３を有するレイアウトは、左右一対でなくてもよく、球面レンズ４００ｂ１、円柱レンズ４００ｂ２、補助レンズ４００ｂ３の１つのセットが表示されたレイアウトであってもよい。なお、仮枠レンズ４００ｂのレイアウトは、上記の表示形態に限定されず、必要な検査目的に応じて設定される。例えば、球面レンズ４００ｂ１が少なくとも表示されたレイアウトであれば、被検眼の球面度数を測定できる。このようなレイアウトにおいても、用途に応じて軸角度目盛等が追加的に表示される構成であってもよい。
【０１２１】
情報表示部４２５は、画面の周辺部（例えば、下）に表示され、検眼装置本体１において被検眼の眼前に配置された光学素子の光学特性（例えば、レンズ度数、プリズム値）を表示する。視標チャート選択ボタン４２７は、画面の周辺部（例えば、上）に表示され、視標呈示装置２０によって呈示される視標を選択するために用いられる。
【０１２２】
ＰＤ（瞳孔間距離）調節ボタン４０５は、左右のレンズ枠取付枠４００ａ１の下に表示され、左右レンズ取付枠４００ａ１間の距離を調節するために用いられる。ＰＤ表示部４０７は仮枠４００ａの上に表示されており、左右検眼窓６１間の距離が表示されている。調節近用／遠用切換えボタン４３７は、ＰＤ調節ボタン４０５の間のスペースに表示され、近用測定と遠用測定を切換える際、検眼窓６１の輻輳角を切換えるために用いられる。
【０１２３】
球面度数プラスボタン４４１、球面度数マイナスボタン４４２は左右の球面レンズ４００ｂ１の近傍に表示され、検眼窓６１に配置された光学素子６５の球面度数を所定のステップ（例えば、０．２５Ｄ、０．５Ｄ）で加算あるいは減算するために用いられる。乱視度数プラスボタン４４３、乱視度数マイナスボタン４４４は左右の円柱レンズ４００ｂ２の近傍に表示され、検眼窓６１に配置された光学素子６５の乱視度数を所定のステップ（例えば、０．２５Ｄ、０．５Ｄ）で加算あるいは減算するために用いられる。なお、前記の各種表示部あるいはボタンのレイアウトは、上記表示形態に限定されず、必要な検査目的に応じて設定される。
【０１２４】
グラフィック画像４００を用いた場合のコントローラ９の操作方法について説明する。表示パネル３０では、検眼装置本体１の各駆動部５０〜５３を駆動させるための信号が、検者の指（タッチペンでもよい）のタッチにより入力される。グラフィック画像４００には、検眼装置本体１を駆動させるための複数の操作部材が形成されている。球面レンズ４００ｂ１、円柱レンズ４００ｂ２、補助レンズ４００ｂ３、ＰＤ調節ボタン４０５、視標チャート選択ボタン４２７、近用／遠用切換えボタン４３７、球面度数プラスボタン４４１、球面度数マイナスボタン４４２、乱視度数プラスボタン４４３、乱視度数マイナスボタン４４４はそれぞれ、グラフィック画像４００上における操作部材として用いられる。
【０１２５】
グラフィック画像４００上の操作部材の少なくとも一つが検者によってタッチあるいはドラッグされると、タッチあるいはドラッグされた操作部材に対応する駆動信号が検眼装置本体１へ出力される。駆動信号としては、例えば、検眼装置本体１の少なくとも１つの装置構成に関する移動方向、移動量に関する駆動情報が含まれる。検眼装置本体１は、コントローラ９からの信号に応じて駆動部（５０〜５３）を駆動させる。
【０１２６】
ここで、制御部２０４は、グラフィック画像４００上に表示された複数の操作部材の中から、タッチパネル上でタッチされた座標位置に応じて１つの操作部材を特定する。例えば、制御部２０４は、特定された操作部材に対する操作信号に基づいて駆動信号を検眼装置本体１に向けて送信する。
【０１２７】
このとき、コントローラ９から、リレーユニット１２を介して検眼装置本体１の制御部２０２に駆動信号が送られる。制御部２０２は、複数の駆動部５０〜５３において、コントローラ９からの駆動信号に対応する駆動部を特定する。制御部２０２は、特定された駆動部を、コントローラ９での操作に対応する駆動方向及び駆動量にて制御する。
【０１２８】
なお、コントローラ９でのグラフィック画像４００に対する操作に応じて検眼装置本体１の駆動部５０、５１が直接的に駆動される必要は必ずしもない。例えば、コントローラ９の制御部２０４は、コントローラ９での操作に応じてレンズ室ユニット６０の検眼窓６１に配置すべき光学素子を決定し、決定された光学素子を検眼窓６１に配置するための駆動信号を検眼装置本体１に送信するようにしてもよい。検眼装置本体１の制御部２０２は、その駆動信号に基づいて、決定された光学素子が検眼窓６１に配置されるように駆動部５０、５１を制御する。なお、コントローラ９からの操作信号に応じた駆動部５２、５３の駆動についても同様の設定が可能である。
【０１２９】
以下に、各操作部材に対応する動作について説明する。図１８（ａ）はＰＤ調節ボタン４０５を操作する前のコントローラ９の様子である。矢印の方向にＰＤ調節ボタン４０５をドラッグ操作すると、図１８（ｂ）に示すように、検眼窓間の距離が小さくなる。図１９から図２１は、検者が検眼窓６１に−５．００Ｄの球面レンズを配置させるとき、コントローラに対して行う操作の流れを示した図である。図２２〜図２４は、検者が検眼窓６１に−１．００Ｄの円柱レンズを軸角度１４０度で配置させるとき、コントローラに対して行う操作の流れを示した図である。図２５〜図２６は、検者が検眼窓６１にクロスシリンダを配置させたのち、軸を反転させるとき、コントローラに対して行う操作の流れを示した図である。
【０１３０】
図２、図３、図１７を中心に説明する。具体的には、ＰＤ調節ボタン４０５に指が触れて左右に操作されると、左右のレンズ取付枠４００ａの距離が調節される。コントローラ９は、ＰＤ調節ボタン４０５に対する操作方向及び操作量を読み取り、制御部２０２に駆動信号を送信する。制御部２０２は、駆動部５２を制御し、左右の検眼窓６１の距離を調節する。表示パネル３０上のＰＤ表示部４０７には、左右の検眼窓６１の距離が表示される。ＰＤ表示部４０７は、左右の検眼窓６１の距離が変更されると、変更された距離に対応する情報を表示する。
【０１３１】
装置本体１の額当て７０に圧力が加わると、額当て７０に備わる圧力検知部２０３が圧力を検知し、検眼装置本体１の制御部２０２へ信号が送られる。制御部２０２からの指令信号がリレーユニット１２の制御部２００を介してコントローラ９の制御部２０４に送られる。制御部２０４は、圧力検知部２０３の検出結果に基づいてグラフィック画像４００上の額当てランプ４００ａ４を制御する。例えば、被検者の額が額当て７０に適正に固定されているときにランプ４００ａ４を消灯し、被検者の額が額当て７０に適正に固定されていないときにランプ４００ａ４を点灯する。もちろん、被検者の額が額当て７０に適正に固定されているときにランプ４００ａ４を点灯し、被検者の額が額当て７０に適正に固定されていないときにランプ４００ａ４を消灯してもよい。
【０１３２】
球面レンズ４００ｂ１に指が触れると、球面度数選択画面４５１が表示される。球面度数選択画面４５１には、例えば、図１９（ｂ）に示すように複数の異なる球面度数がリストにて表示される。検者は、球面度数選択画面４５１に表示された球面度数に触れることで選択する。球面度数選択画面４５１に所望する球面度数が表示されていない場合は、上下の三角ボタンに触れるか、あるいは球面度数選択画面４５１を上下にドラッグさせる（図２０（ａ）参照）ことによって、所望の球面度数を表示させた後、球面度数に触れて選択する（図２０（ｂ）参照）。すると、選択した球面度数が反転表示される。この状態で、球面度数選択画面４５１上の球面度数決定ボタン４５３に触れると、球面度数表示画面４５１は非表示になり、選択した球面度数が球面レンズ４００ｂ１上に表示される。今度は、球面レンズ４００ｂ１をレンズ取付枠４００ａ１の近傍にドラッグさせると、ドラッグ中の球面レンズ４００ｂ１がレンズ取付枠４００ａ１にセットされ、情報表示部４２５のＳ値（球面度数値）の表示が選択した球面度数に切り替わる（図２１参照）。コントローラ９は、球面レンズ４００ｂ１、レンズ取付枠４００ａ１に対する操作情報を読み取り、制御部２０２に駆動信号を送信する。制御部２０２は、駆動部５０を制御し、情報表示部４２５の表示に対応する球面レンズを検眼窓６１に配置する。
【０１３３】
円柱レンズ４００ｂ２に指が触れると、乱視度数選択画面４５５が表示される。検者は乱視度数選択画面４５５に表示された乱視度数に触れることで選択する。乱視度数選択画面４５５には、例えば、図２２に示すように、複数の異なる乱視度数がリストにて表示される。乱視度数選択画面４５５に所望する乱視度数が表示されていない場合は、上下の三角ボタンに触れるか、あるいは乱視度数選択画面４５５を上下にドラッグさせることによって、所望の乱視度数を表示させた後乱視度数に触れて選択する。すると、選択した乱視度数が反転表示される（図２２（ｂ）参照）。この状態で、乱視度数選択画面４５５上の球面度数決定ボタン４５７に触れると、乱視度数表示画面４５５は非表示になり、選択した乱視度数が円柱レンズ４００ｂ２上に表示される（図２３（ａ）参照）。今度は、円柱レンズ４００ｂ２をレンズ取付枠４００ａ１の近傍にドラッグさせると（図２３（ｂ）参照）、ドラッグ中の円柱レンズ４００ｂ２がレンズ取付枠４００ａ１にセットされ、情報表示部４２５のＣ値（乱視度数値）の表示が選択した乱視度数に切り替わる（図２４（ａ）参照）。コントローラ９は、円柱レンズ４００ｂ２、レンズ取付枠４００ａ１に対する操作情報を読み取り、制御部２０２に駆動信号を送信する。制御部２０２は、駆動部５０を制御し、情報表示部４２５の表示に対応する円柱レンズを検眼窓６１に配置する。
【０１３４】
仮枠４００ａにセットされた円柱レンズ４００ｂ２の持ち手４００ｃ２に指が触れて、円柱レンズ４００ｂ２の円周方向に回転されると、円柱レンズ４００ｂ２は、操作方向に回転され、乱視軸角度目盛４００ａ２に対して回転される（図２４（ｂ）参照）。円柱レンズ４００ｂ２は、例えば、レンズ取付枠４００ａ１の中心を回転軸として回転される。
【０１３５】
円柱レンズ４００ｂ２には、乱視軸マーク４００ｄ２が形成されている。乱視軸マーク４００ｄ２の表示は、円柱レンズ４００ｂ２の円周方向への回転に連動して回転される。検者は、乱視軸マーク４００ｄ２と乱視軸角度目盛４００ａ２との位置関係を基に、乱視軸角度を容易に確認できる。なお、上記操作において、円柱レンズ４００ｂ２本体に指が触れたとき、円柱レンズ４００ｂ２の円周方向に円柱レンズ４００ｂが回転して表示される構成であってもよい。
検者は、レンズ取付枠４００ａ１に付された乱視軸角度目盛４００ａ２及び情報表示部４２５を参考にして、所望の乱視軸角度に調節する。コントローラ９は、円柱レンズ４００ｂ２に対する操作方向及び操作量を読み取り、制御部２０２に駆動信号を送信する。制御部２０２は、駆動部５１を制御し、検眼窓６１に配置された円柱レンズの乱視軸を調節する。
【０１３６】
補助レンズ４００ｂ３に指が触れると（図２５（ａ）参照）、補助レンズ選択画面４５９が表示される（図２５（ｂ）参照）。補助レンズ選択画面４５９には、例えば、図２５（ｂ）に示すように複数の検眼補助用光学部材がリストにて表示される。検者は、補助レンズ選択画面４５９に表示された補助レンズ名に触れることで選択する。選択すると補助レンズ名が反転表示される。この状態で、補助レンズ選択画面４５９上の補助レンズ決定ボタン１６１に触れると、補助レンズ表示画面４５９は非表示になり、補助レンズ４００ｂ３の種類が切り替わって表示され、補助レンズ４００ｂ３上に選択した補助レンズ名が表示される（図２６（ａ）参照）。今度は、補助レンズ４００ｂ３をレンズ取付枠４００ａ１の近傍にドラッグさせると、ドラッグ中の補助レンズ４００ｂ３がレンズ取付枠４００ａ１にセットされる。コントローラ９は、補助レンズ４００ｂ３、レンズ取付枠４００ａ１に対する操作情報を読み取り、制御部２０２に駆動信号を送信する。制御部２０２は、駆動部５０を制御し、レンズ取付枠４００ａ１にセットされた補助レンズ４００ｂ３に対応する補助レンズを検眼窓６１に配置する。
【０１３７】
仮枠レンズ４００ｂを検眼窓６１から外す場合は、レンズ取付枠４００ａ１にセットされた仮枠レンズ４００ｂの持ち手に触れて、レンズ取付枠４００ａ１の遠方にドラッグすることで、前記仮枠レンズ４００ｂは所定の位置に戻る。コントローラ９は、仮枠レンズ４００ｂ、レンズ取付枠４００ａ１に対する操作情報を読み取り、制御部２０２に駆動信号を送信する。制御部２０２は、駆動部５０を制御し、レンズ取付枠４００ａ１から外された仮枠レンズ４００ｂに対応する光学素子を検眼窓６１から外す。なお、レンズの外し方は仮枠レンズ４００ｂに対する操作に限らない。例えば、各仮枠レンズ４００ｂの近傍に、レンズ取り外しボタンを表示させ、前記ボタンの操作により、該当するレンズを外すようにしてもよい。
【０１３８】
検者が呈示する視標を切換えたいときは、視標チャート選択ボタン４２７から、画面上に形成された所望する視標のチャートボタンをタッチする（図１７参照）。視標チャート選択ボタン４２７がタッチされると、制御部２０４が、どのスイッチがタッチされたのか検知する。
【０１３９】
視標チャート選択ボタン４２７には各種視標が複数表示され、所望する視標に指が触れることによって視標が選択される。選択された視標は、表示パネル３０上において選択的に表示される（例えば、表示色が反転する）。コントローラ９は、選択された視標を被検者に呈示するための制御信号を制御部２０６に送信する。制御部２０６は、視標呈示部２１を制御し、選択された視標を被検者に呈示する。
【０１４０】
以上に説明した第２実施形態の構成によれば、検者は、仮枠検査と同様の操作感覚でコントローラを扱うことによって、電動式の検眼装置を操作できる。このため、仮枠眼鏡の使用に慣れていた検者であって、電動式検眼装置に不慣れな場合であっても、電動式検眼装置を容易に操作できる。
これにより、仮枠眼鏡及びトライアルレンズセットからなる手動式検眼装置を用いている検者に、電動式レフラクタの導入を促すことができる。
【０１４１】
なお、上記説明においては、仮枠４００ａ、仮枠レンズ４００ｂからなる操作画面を例として、説明したが、これに限定されない。コントローラ９は、検眼装置本体１を操作するための操作画面を表示可能なタッチパネルと、被検眼の眼前に配置するトライアルレンズを選択するための操作部と、を有し、光学素子を切り換えるために設定されたターゲット表示（例えば、仮枠４００ａ）と、トライアルレンズを示すグラフィック画像（例えば、仮枠レンズ４００ｂ参照）と、を操作画面として表示する構成であってもよい。そして、コントローラ９は、ターゲット表示が形成された方向に向けたグラフィック画像の移動操作に基づいて、操作部によって予め選択されたトライアルレンズに対応する光学素子を被検眼に配置するための制御信号を検眼装置本体１に出力する。すなわち、ターゲット表示は、仮枠４００ａに限定されず、予め選択されたトライアルレンズに対応する光学素子を被検眼に配置するための目標となるような表示形態であればよい。例えば、所定形状（例えば、丸枠、矩形、星型等）のフレーム表示、他の部分とは色が異なるエリア表示、等が考えられる。
また、コントローラ９は、検眼装置本体１を操作するための操作画面を表示可能なタッチパネルと、被検眼の眼前に配置するトライアルレンズを選択するための操作部と、を有し、光学素子を切り換えるために設定されたターゲット表示（例えば、仮枠４００ａ）と、球面度数を選択するためのグラフィック画像（例えば、球面レンズ４００ｂ１、球面度数選択画面４５１）、乱視度数を選択するためのグラフィック画像（例えば、円柱レンズ４００ｂ２、乱視度数選択画面４５５）、補助レンズを選択するためのグラフィック画像（例えば、補助レンズ４００ｂ３、補助レンズ選択画面４５９）をそれぞれ表示する。
【０１４２】
すなわち、球面度数、乱視度数、補助レンズを選択するためのグラフィック画像は、レンズ状のグラフィックに限定されず、球面度数、乱視度数、補助レンズがそれぞれ判別可能な表示形態であって、球面度数、乱視度数、補助レンズのグラフィック毎に選択画面が表示されるような表示形態であればよい。例えば、所定形状（例えば、丸枠、矩形、星型等）のフレーム表示、他の部分とは色が異なるエリア表示、等が考えられる。
【図面の簡単な説明】
【０１４３】
【図１】本実施の形態の検眼システム全体を示した概略図である。
【図２】本実施の形態の検眼装置を被検者側から見た外観概略図である。
【図３】本実施形態の制御系ブロック図である。
【図４】本実施形態に係るレンズディスクの一例を示す図である。
【図５】本実験形態におけるコントローラの概略図である。
【図６】タッチパネルで指定されたポイントのドラッグにより、レンズ室ユニットの駆動部を駆動させる制御を説明するフローチャートである。
【図７】コントローラに表示されたＰ．Ｄ．調節ノブを操作する様子を示した図である。
【図８】コントローラに表示されたターレットを操作する様子を示した図である。
【図９】コントローラに表示された補助レンズノブを操作する様子を示した図である。
【図１０】コントローラに表示された球面ディスクを操作する様子を示した図である。
【図１１】コントローラに表示された乱視度数変換ノブを操作する様子を示した図である。
【図１２】コントローラの変形例を示した図である。
【図１３】コントローラの変形例を示した図である。
【図１４】コントローラの変形例を示した図である。
【図１５】コントローラの変形例を示した図である。
【図１６】コントローラの変形例を示した図である。
【図１７】第２実施形態におけるコントローラの概略図である。
【図１８】コントローラに表示されたＰＤ調節ボタンを操作する様子を示した図である。
【図１９】コントローラによる球面度数変更のための操作手順を示した図である。
【図２０】コントローラによる球面度数変更のための操作手順を示した図である。
【図２１】コントローラによる球面度数変更のための操作手順を示した図である。
【図２２】コントローラによる乱視度数及び乱視軸角度変更のための操作手順を示した図である。
【図２３】コントローラによる乱視度数及び乱視軸角度変更のための操作手順を示した図である。
【図２４】コントローラによる乱視度数及び乱視軸角度変更のための操作手順を示した図である。
【図２５】コントローラによってクロスシリンダの反転させるための操作手順を示した図である。
【図２６】コントローラによってクロスシリンダの反転させるための操作手順を示した図である。
【符号の説明】
【０１４４】
１  装置本体
６  移動ユニット
９  コントローラ
１２  リレーユニット
２０  視標呈示装置
３０  表示パネル
６０  レンズ室ユニット
６１  検眼窓
６４  レンズディスク
６５  光学素子
１０１  検眼窓
１０２  レンズ室ユニット本体
１０５  Ｐ．Ｄ．調節ノブ
１１２  額当てランプ
１１６  補助レンズノブ
１２０  球面ディスク
１２２  乱視軸変換ノブ
１２４  乱視度数変換ノブ
１２５  乱視度数表示部
１２６  視標チャートボタン
１３０  クロスシリンダー
１３４  クロスシリンダーノブ
１３７  近用／遠用切り替えボタン
４００ａ  仮枠
４００ａ１  レンズ取付枠
４００ａ２  乱視軸角度目盛
４００ａ３  ブリッジ
４００ａ４  額当てランプ
４００ｂ  仮枠レンズ
４００ｂ１  球面レンズ
４００ｂ２  円柱レンズ
４００ｂ３  補助レンズ
４０５  ＰＤ調節ボタン
４０７  ＰＤ表示部
４２５  情報表示部
４２７  視標チャート選択ボタン
４３７  近用／遠用切換えボタン
４４１  球面度数プラスボタン
４４２  球面度数マイナスボタン
４４３  乱視度数プラスボタン
４４４  乱視度数マイナスボタン
４５１  球面度数選択画面
４５３  球面度数決定ボタン
４５５  乱視度数選択画面
４５７  乱視度数決定ボタン
４５９  補助レンズ選択画面
４６１  補助レンズ決定ボタン
【図１】
2014007216.tif 000003
【図２】
2014007216.tif 000004
【図３】
2014007216.tif 000005
【図４】
2014007216.tif 000006
【図５】
2014007216.tif 000007
【図６】
2014007216.tif 000008
【図７】
2014007216.tif 000009
【図８】
2014007216.tif 000010
【図９】
2014007216.tif 000011
【図１０】
2014007216.tif 000012
【図１１】
2014007216.tif 000013
【図１２】
2014007216.tif 000014
【図１３】
2014007216.tif 000015
【図１４】
2014007216.tif 000016
【図１５】
2014007216.tif 000017
【図１６】
2014007216.tif 000018
【図１７】
2014007216.tif 000019
【図１８】
2014007216.tif 000020
【図１９】
2014007216.tif 000021
【図２０】
2014007216.tif 000022
【図２１】
2014007216.tif 000023
【図２２】
2014007216.tif 000024
【図２３】
2014007216.tif 000025
【図２４】
2014007216.tif 000026
【図２５】
2014007216.tif 000027
【図２６】
2014007216.tif 000028
【国際調査報告】
2014007216.tif 000029
2014007216.tif 000030
2014007216.tif 000031
2014007216.tif 000032